【手続補正書】
【提出日】平成18年10月24日(2006.10.24)
【手続補正１】
【補正対象書類名】明細書
【補正対象項目名】特許請求の範囲
【補正方法】変更
【補正の内容】
【特許請求の範囲】
【請求項１】  式：
Ａ−〔−Ｌ−Ｂ〕n                      （１）
〔式中、Ａは、ポリシロキサンおよび、ペルフルオロアルキルポリエーテルよりなる群から選ばれる疎水性セグメントであり；
Ｂは、式：
【化１】
2002533503.tif 000001
（式中、Ｒ1は、水素または非置換であるか、もしくはヒドロキシルもしくはフルオロで置換されたＣ1〜Ｃ12アルキルであり、ｐは、２〜１５０の整数であり、Ｑ1は、式：
【化２】
2002533503.tif 000002
（式中、Ｘ3は、−Ｏ−または−ＮＲ″であって、Ｒ″は、水素、またはＣ1〜Ｃ4アルキルであり、Ｘ4は、基−Ｃ（Ｏ）−Ｏ−、−Ｏ−Ｃ（Ｏ）−ＮＨ−もしくは−ＮＨ−Ｃ（Ｏ）−Ｏ−であり、（alk）は、Ｃ1〜Ｃ8アルキレンであり、ｚは、０または１の整数であり、Ｒ10は、Ｃ1〜Ｃ12アルキレン、フェニレンまたはＣ7〜Ｃ12フェニレンアルキレンである））で示される親水性セグメントであり；
Ｌは、式：
−Ｘ1−Ｃ（Ｏ）−ＮＨ−Ｒ2−ＮＨ-Ｃ（Ｏ）−Ｘ2− （３ｂ）、
−Ｘ1−Ｃ（Ｏ）−Ｒ2−Ｃ（Ｏ）−Ｘ2−            （３ｃ）または
−Ｃ（Ｏ）−Ｘ1−                               （３ｅ）
（式中、Ｘ1およびＸ2は、それぞれ互いに独立に、基−Ｏ−、−Ｓ−または−ＮＲ0−であって、Ｒ0は、水素またはＣ1〜Ｃ4アルキルであり、Ｒ2は、直鎖状もしくは分枝状のＣ1〜Ｃ18アルキレンであるか、または非置換もしくはＣ1〜Ｃ4アルキル−もしくはＣ1〜Ｃ4アルコキシ−置換Ｃ6〜Ｃ10アリーレン、Ｃ7〜Ｃ18アラルキレン、Ｃ6〜Ｃ10アリーレン−Ｃ1〜Ｃ2アルキレン−Ｃ6〜Ｃ10アリーレン、Ｃ3〜Ｃ8シクロアルキレン、Ｃ3〜Ｃ8シクロアルキレン−Ｃ1〜Ｃ6アルキレン、Ｃ3〜Ｃ8シクロアルキレン−Ｃ1〜Ｃ2アルキレン−Ｃ3〜Ｃ8シクロアルキレン、またはＣ1〜Ｃ6アルキレン−Ｃ3〜Ｃ8シクロアルキレン−Ｃ1〜Ｃ6アルキレンである）で示される２価の連結基であり；
ｎは、≧１の整数である〕
で示される両親媒性ブロック共重合体。
【請求項２】  Ｑ1が、ｏ−、ｍ−またはｐ−ビニルベンジルである、請求項１記載のブロック共重合体。
【請求項３】  Ｑ1が式（７ｂ）（式中、Ｒ10はベンジルである）の基である、請求項１記載のブロック共重合体。
【請求項４】  Ｑ1が式（７ｄ）の基である、請求項１記載のブロック共重合体。
【請求項５】  前記疎水性セグメントＡが、式：
【化３】
2002533503.tif 000003
（式中、ｍは、５〜７００の整数であり；Alkは、−Ｏ−で中断されていてもよい、２０個までの炭素原子を有するアルキレンであり；Ｒ3、Ｒ4、Ｒ5およびＲ6は各々メチルである）で示されるポリシロキサンである、請求項１記載のブロック共重合体。
【請求項６】  Ｌが、式（３ｂ）の連結基である、請求項１〜５のいずれか１項記載のブロック共重合体。
【請求項７】  式（３ｂ）のＲ2が、直鎖状または分枝状のＣ6〜Ｃ10アルキレン；それぞれ、非置換であるか、もしくはシクロヘキシル部分において１〜３個のメチル基で置換されたシクロヘキシレンメチレンまたはシクロヘキシレンメチレンシクロヘキシレン；あるいはそれぞれ、非置換であるか、もしくはフェニル部分においてメチルで置換されたフェニレンまたはフェニレンメチレンフェニレンである、請求項６記載のブロック共重合体。
【請求項８】  Ｒ1が、Ｃ1〜Ｃ4アルキル、ヒドロキシ−Ｃ1〜Ｃ4アルキルまたは、トリフルオロメチルである、請求項１〜７のいずれか１項記載のブロック共重合体。
【請求項９】  式：
【化４】
2002533503.tif 000004
〔式中、ｎ１は、整数２であり、
Ａは、ペルフルオロアルキルポリエーテルまたはポリシロキサンセグメントであり、
Ｘ1およびＸ2は、それぞれ互いに独立に、基−Ｏ−または−ＮＨ−であり、
Ｒ2は、直鎖状または分枝状のＣ6〜Ｃ10アルキレン、それぞれ、非置換であるか、もしくはシクロヘキシル部分において１〜３個のメチル基で置換されたシクロヘキシレンメチレンまたはシクロヘキシレンメチレンシクロヘキシレン、あるいはそれぞれ、非置換であるか、もしくはフェニル部分においてメチルで置換されたフェニレンまたはフェニレンメチレンフェニレンであり；
Ｒ1は、Ｃ1〜Ｃ4アルキル、ヒドロキシ−Ｃ1〜Ｃ4アルキルまたはトリフルオロメチルであり、
Ｑ1は、式：
【化５】
2002533503.tif 000005
（式中、Ｘ3は、−Ｏ−または−ＮＲ″−であって、Ｒ″は、水素またはＣ1〜Ｃ4アルキルであり、Ｘ4は、基−Ｃ（Ｏ）−Ｏ−、−Ｏ−Ｃ（Ｏ）−ＮＨ−または−ＮＨ−Ｃ（Ｏ）−Ｏ−であり、（alk）は、Ｃ1〜Ｃ8アルキレンであり、ｚは、０または整数１であり、Ｒ10は、Ｃ1〜Ｃ12アルキレン、フェニレン、またはＣ7〜Ｃ12フェニレンアルキレンである）で示される基である〕
で示される、請求項１記載のブロック共重合体。
【請求項１０】
ｎ１が３〜８の整数である、請求項９記載の式（１ａ）のブロック共重合体。
【請求項１１】  Ｌが、式（３ｂ）または（３ｃ）の連結基である、請求項１記載の式（１）のブロック共重合体を製造する方法であって、式：
Ａ−（Ｘ1Ｈ）n                    （１０）
で示される化合物を、
式：
Ｙ−Ｒ2−Ｙ                        （１１）
および
【化６】
2002533503.tif 000006
〔式中、Ｙは、カルボキシルまたはその適切な誘導体であるか、または基−Ｎ＝Ｃ＝Ｏであり；Ａ、Ｑ1、Ｒ1、Ｒ2、Ｘ1、Ｘ2、ｎおよびｐは、それぞれ、請求項１に示された意味を有する〕
で示される化合物の、それぞれ約ｎモル当量と反応させることを特徴とする方法。
【請求項１２】  式：
【化７】
2002533503.tif 000007
〔式中、Ｙ2は、基−Ｘ2Ｈ（式中、Ｘ2は、基−Ｏ−、−Ｓ−または−ＮＲ0−であって、Ｒ0は、水素またはＣ1〜Ｃ4アルキルである）であり、
Ｑ1は、式（７ｂ）（式中、Ｒ10は、Ｃ1〜Ｃ12アルキレン、フェニレン、またはＣ7〜Ｃ12フェニレンアルキレンであり、Ｘ3は、−Ｏ−または−ＮＲ″−であって、Ｒ″は、水素またはＣ1〜Ｃ4アルキルであり、Ｘ4は、基−Ｃ（Ｏ）−Ｏ−、−Ｏ−Ｃ（Ｏ）−ＮＨ−または−ＮＨ−Ｃ（Ｏ）−Ｏ−であり、（alk）は、Ｃ1〜Ｃ8アルキレンである）で示される基である〕
で示される化合物。
【請求項１３】  成形品を製造する方法であって、請求項１記載の式（１）のブロック共重合体を、成形型内で架橋させる工程を含む方法。
【請求項１４】  眼用成形品、特にコンタクトレンズを製造するための請求項１３記載の方法であって、該ブロック共重合体を、放射線の放射を用いて、眼用成形型内で光架橋させる方法。
【請求項１５】  下記の工程を含む、成形品の製造方法：
（ａ）請求項１記載の式（１）の少なくとも１種のブロック共重合体を用意する工程；
（ｂ）該プレポリマーの、少なくとも部分的に両連続性の中間相を調製する工程；
（ｃ）得られた中間相を、眼用成形型に導入する工程；
（ｄ）光架橋を誘発する工程；および
（ｅ）成形品を取り出せるように、成形型を開く工程。
【請求項１６】  中間相を、１種以上の請求項１記載の式（１）のブロック共重合体、水溶液、ならびに場合によっては、光開始剤、界面活性剤、コモノマー、および製薬上有効な薬剤よりなる群から選ばれるさらなる成分から調製する、請求項１５記載の方法。
【請求項１７】  中間相を、１種または異なる２種以上の請求項１記載の式（１）のブロック共重合体、水および光開始剤から調製する、請求項１５記載の方法。
【請求項１８】  請求項１３記載の方法によって得られる成形品。
【請求項１９】  眼用成形品、特にコンタクトレンズである、請求項１８記載の成形品。